(57)【特許請求の範囲】
【請求項１】
下記（ａ）成分、（ｂ）成分０質量％以上３質量％以下、（ｃ）成分、及び水を含有し、（ａ）成分／（ｃ）成分の質量比が、０．１以上０．５以下であり、（ｂ）成分／［（ａ）成分＋（ｂ）成分＋（ｃ）成分］の質量比が０．１５以下であり、（ａ）成分、（ｂ）成分及び（ｃ）成分の合計含有量が、０．５質量％以上５質量％以下であり、全界面活性剤中、（ａ）成分、（ｂ）成分及び（ｃ）成分の合計含有量が、５０質量％以上である、硬質表面用液体洗浄剤組成物。
＜（ａ）成分＞
下記一般式（ａ１）で表されるスルホコハク酸エステル又はその塩
【化１】
0006644638.tif 000007
〔式中、Ｒ1a、Ｒ2aは、それぞれ独立して、炭素数５以上１８以下の炭化水素基である。Ａ1、Ａ2はそれぞれ独立に炭素数２以上４以下のアルキレン基、ｘ、ｙは平均付加モル数でありそれぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
（ｃ−１）下記一般式（ｃ１）で表される化合物、及び（ｃ−２）下記一般式（ｃ２）で表される化合物から選ばれる１種以上のノニオン界面活性剤
Ｒ１ｃ−Ｏ−（Ｇｌｙ）r−Ｈ （ｃ１）
〔式中、Ｒ１ｃは炭素数６以上１８以下のアルキル基を示し、Ｇｌｙはグリセリンから１つの水酸基と１つの水素原子を除いた残基を示し、ｒは１以上４以下の数を示す。〕
Ｒ２ｃＯ−（ＥＯ）ｚ−Ｈ（ｃ２）
〔式中、Ｒ２ｃは、炭素数６以上１８以下の第２級アルキル基であり、ＥＯはエチレンオキシ基であり、ｚはＥＯの平均付加モル数を示し、０超１００以下の数である。〕
【請求項２】
（ａ）成分を０．２質量％以上３０質量％以下含有する、請求項１記載の硬質表面用液体洗浄剤組成物。
【請求項３】
（ｃ）成分を０．２質量％以上３０質量％以下含有する、請求項１又は２記載の硬質表面用液体洗浄剤組成物。
【請求項４】
（ｂ）成分／［（ａ）成分＋（ｂ）成分＋（ｃ）成分］の質量比が０．１未満である、請求項１〜３の何れか１項記載の硬質表面用液体洗浄剤組成物。
【請求項５】
さらに溶剤を含有する、請求項１〜４の何れか１項記載の硬質表面用液体洗浄剤組成物。
【請求項６】
希釈せずに直接硬質表面に接触させて用いる、請求項１〜５の何れか１項記載の硬質表面用液体洗浄剤組成物。
【請求項７】
請求項１〜６の何れか１項記載の硬質表面用液体洗浄剤組成物を、硬質表面に接触させる、硬質表面の洗浄方法。
【請求項８】
前記硬質表面用液体洗浄剤組成物を、希釈せずに硬質表面に接触させる、請求項７記載の硬質表面の洗浄方法。
【請求項９】
前記硬質表面用液体洗浄剤組成物を、硬質表面に接触させた後、機械力をかけずに放置する、請求項７又は８記載の硬質表面の洗浄方法。
【請求項１０】
前記硬質表面用液体洗浄剤組成物を、噴霧又は塗布して硬質表面に接触させる、請求項７〜９の何れか１項記載の硬質表面の洗浄方法。
【請求項１１】
前記硬質表面用液体洗浄剤組成物を、液滴状にして噴霧する又は泡状にして塗布する、請求項１０記載の硬質表面の洗浄方法。
【請求項１２】
請求項１〜６の何れか１項記載の硬質表面用液体洗浄剤組成物を、スプレイヤーを具備する容器に充填してなる、スプレー容器入り硬質表面用洗浄剤物品。
【発明の詳細な説明】
【技術分野】
【０００１】
本発明は硬質表面用液体洗浄剤組成物に関する。
【背景技術】
【０００２】
手洗い用食器洗浄剤には、油汚れに対する洗浄力が根強く求められている。とりわけ、プラスチック製のタッパーや弁当箱などの疎水性表面を有する食器類においては、牛脂や豚脂などの固形脂を多く含む油汚れが落ちにくく、高い洗浄力が求められている。そのため、通常、約４０℃〜４５℃のお湯を使用する、又は、２度洗いをするなどの工夫を施した洗浄方法が用いられる。
【０００３】
特許文献１には、（ａ）スルホコハク酸ジ若しくはモノアルキルエステル又はその塩、（ｂ）炭素数８〜２１の炭化水素基と、硫酸エステル塩基又はスルホン酸塩基とを有する陰イオン界面活性剤〔但し（ａ）を除く〕、及び（ｃ）アルキルグリセリルエーテル（アルキル基の炭素数は６〜１８）を含有する手洗い用食器洗浄剤組成物が、豊かな泡立ちと、すすぎ時には瞬時にヌルツキがなくなり、少量の水ですすぎが完了することが記載されている。
【先行技術文献】
【特許文献】
【０００４】
【特許文献１】特開２０１１−２３１３１１号公報
【発明の概要】
【発明が解決しようとする課題】
【０００５】
本発明は、硬質表面に付着した固体脂を含む油汚れの洗浄力に優れる、硬質表面用液体洗浄剤組成物及び、これを用いた硬質表面の洗浄方法に関する。
【課題を解決するための手段】
【０００６】
本発明は、下記（ａ）成分、（ｂ）成分０質量％以上３質量％以下、（ｃ）成分、及び水を含有し、（ｂ）成分／［（ａ）成分＋（ｂ）成分＋（ｃ）成分］の質量比が０．１５以下であって、全界面活性剤中、（ａ）成分、（ｂ）成分及び（ｃ）成分の合計含有量が、５０質量％以上である、硬質表面用液体洗浄剤組成物に関する。
＜（ａ）成分＞
下記一般式（ａ１）で表されるスルホコハク酸エステル又はその塩
【０００７】
【化１】
0006644638.tif 000002
【０００８】
〔式中、Ｒ1a、Ｒ2aは、それぞれ独立して、炭素数５以上１８以下の炭化水素基である。Ａ1、Ａ2はそれぞれ独立に炭素数２以上４以下のアルキレン基、ｘ、ｙは平均付加モル数でありそれぞれ独立に０以上６以下である。Ｍ1は水素原子又は陽イオンである。〕
＜（ｂ）成分＞
炭素数８以上２１以下の炭化水素基と、硫酸エステル基又はスルホン酸基とを有するアニオン界面活性剤〔但し、（ａ）成分を除く〕
＜（ｃ）成分＞
（ｃ−１）炭素数が６以上１８以下のアルキル基を有するグリセリルエーテル及び（ｃ−２）下記一般式（ｃ２）で表される化合物から選ばれる１種以上のノニオン界面活性剤
Ｒ２ｃＯ−（ＥＯ）ｚ−Ｈ  （ｃ２）
〔式中、Ｒ２ｃは、炭素数６以上１８以下の第２級アルキル基であり、ＥＯはエチレンオキシ基であり、ｚはＥＯの平均付加モル数を示し、０超１００以下の数である。〕
【０００９】
また本発明は、上記本発明の硬質表面用液体洗浄剤組成物を、硬質表面に接触させる、硬質表面の洗浄方法に関する。
【発明の効果】
【００１０】
本発明によれば、硬質表面に付着した固体脂を含む油汚れの洗浄力に優れる、硬質表面用液体洗浄剤組成物及び、これを用いた硬質表面の洗浄方法を提供することができる。
本発明の硬質表面用液体洗浄剤組成物は、プラスチック等の硬質表面を有する物品に付着した、固体脂を含む油汚れを、スポンジ等の可撓性材料を用いて擦らずとも、すなわち機械力をかけずとも、洗浄することが可能である。
【発明を実施するための形態】
【００１１】
＜硬質表面用液体洗浄剤組成物＞
本発明の硬質表面用液体洗浄剤組成物は、（ｂ）成分の炭素数８以上２１以下の炭化水素基と硫酸エステル基又はスルホン酸基とを有するアニオン界面活性剤の含有量を規定したことにより、疎水性が高いジアルキル基と親水性が高い硫酸基とを有する（ａ）成分と、アルキルグリセリルエーテルである（ｃ）成分との相互作用を強くすることができる。これにより、本発明の硬質表面用液体洗浄剤組成物に含まれる界面活性剤が、固体脂を含む油汚れ中に浸透し易くなり、油汚れから固体脂の剥離が容易となり、その結果、洗浄力の向上効果が得られたものと推定される。
そして、本発明の硬質表面用液体洗浄剤組成物を、直接、硬質表面と接触させる方法で用いる場合は、硬質表面に適用される界面活性剤の濃度が、含水したスポンジを使用して硬質表面に接触させる場合よりも高くなる。そのため、本発明の界面活性剤による効果は、より顕著に発現する。
これらのことから、本発明の硬質表面用液体洗浄剤組成物を用いることにより、プラスチック等の硬質表面に付着した、固体脂を含む油汚れを、スポンジ等の可撓性材料を用いて擦らない、すなわち機械力をかけない洗浄方法によっても、優れた洗浄力を得ることができる。
【００１２】
＜（ａ）成分＞
本発明に用いられる（ａ）成分は、下記一般式（ａ１）で表されるスルホコハク酸エステル又はその塩である。
【００１３】
【化２】
0006644638.tif 000003
【００１４】
〔式中、Ｒ1a、Ｒ2aは、それぞれ、炭素数５以上１８以下の炭化水素基である。Ａ1、Ａ2はそれぞれ独立に炭素数２以上４以下のアルキレン基、ｘ、ｙは平均付加モル数であり、それぞれ独立に０以上６以下である。Ｍ1は水素原子又は陽イオンである。〕
【００１５】
一般式（ａ１）中、Ｒ1a、Ｒ2aは、それぞれ独立に、炭素数５以上、好ましくは６以上、より好ましくは７以上、そして、炭素数１８以下、好ましくは１６以下、更に好ましくは１４以下の炭化水素基、好ましくは直鎖又は分岐鎖のアルキル基である。Ｒ1a、Ｒ2aは、それぞれ独立に、より好ましくは分岐鎖を有するアルキル基である。
一般式（ａ１）中、Ａ1、Ａ2は、それぞれ独立に、炭素数２以上、そして、炭素数４以下、好ましくは３以下のアルキレン基である。
一般式（ａ１）中、ｘ、ｙは、平均付加モル数であり、洗浄力の観点から、それぞれ独立に、０以上、そして、６以下、好ましくは４以下、より好ましくは２以下であり、更に好ましくは０である。
また、ｘ＋ｙは、洗浄力の観点から、好ましくは０以上、そして、好ましくは１２以下、より好ましくは６以下、更に好ましくは３以下、より更に好ましくは０である。
【００１６】
一般式（ａ１）中、Ｒ1a、Ｒ2aは、それぞれ、好適にはヘキシル基、オクチル基、ノニル基、デシル基、ドデシル基、トリデシル基、テトラデシル基、２−エチルヘキシル基、ｎ−オクチル基、ｓｅｃ−オクチル基、イソペンチル基、イソノニル基、イソデシル基、シクロヘキシル基から選ばれるアルキル基であり、特にｎ−オクチル基、ｓｅｃ−オクチル基、デシル基、イソデシル基、及び２−エチルヘキシル基から選ばれるアルキル基であることが好適であり、中でも２−エチルヘキシル基、トリデシル基が好ましく、さらに２−エチルヘキシル基が好ましい。
【００１７】
一般式（ａ１）中、Ｍ1は、水素原子、あるいはナトリウムイオン、アンモニウムイオン、カリウムイオン、マグネシウムイオン等の無機陽イオン、モノエタノールアンモニウムイオン、ジエタノールアンモニウムイオン、トリエタノールアンモニウムイオン、モルホリニウムイオン等の有機陽イオンであり、好ましくはナトリウムイオン、アンモニウムイオン、カリウムイオン及びマグネシウムイオンから選ばれる無機陽イオンである。
【００１８】
（ａ）成分は、Ｒ1a、Ｒ2aが同一の化合物の調製方法としては、特に限定されるものではないが、例えば米国特許明細書第２，０２８，０９１号公報に記載の方法を参考して製造することができ、また、Ｒ1a、Ｒ2aが異なる非対称の化合物は、例えば特開昭５８−２４５５５号公報を参考して製造することができる。市販の化合物を用いる場合には、花王（株）製ペレックスＯＴ−Ｐ（Ｒ1a、Ｒ2aが共に２−エチルヘキシル基である化合物）、同ペレックスＴＲ（Ｒ1a、Ｒ2aが共にトリデシル基である化合物）、ＢＡＳＦ社製ＬｕｅｎｓｉｔＡ−ＢＯ（Ｒ1a、Ｒ2aが共に２−エチルヘキシル基である化合物）、東邦化学工業(株)製エアロールＣＴ−１Ｌ（Ｒ1a、Ｒ2aが共に２−エチルヘキシル基である化合物）、三井サイテック株式会社から入手可能であったエアロゾルＡＹ−１００（Ｒ1a、Ｒ2aが共にアミル基である化合物）、同エアロゾルＡ−１９６（Ｒ1a、Ｒ2aが共にシクロヘキシル基である化合物）などを用いることができる。（ａ）成分の原料として、所定炭素数のアルコールにアルキレンオキシドを付加したものを用いることもできる。
【００１９】
本発明の硬質表面用液体洗浄剤組成物は、（ａ）成分を、洗浄力の観点から、好ましくは０．２５質量％以上、より好ましくは０．５質量％以上、更に好ましくは０．８質量％以上、より更に好ましくは１質量％以上、より更に好ましくは１．７質量％以上、そして、原料コストを低減する観点から、好ましくは３０質量％以下、より好ましくは２０質量％以下、更に好ましくは１５質量％以下、より更に好ましくは１０質量％以下、より更に好ましくは８質量％以下、より更に好ましくは５質量％以下含有する。
なお、本発明では、（ａ）成分に係る質量に関する記述（質量％や質量比）は、Ｍ１をナトリウムと仮定したときの質量（ナトリウム塩換算での比率）に基づくものとする。
【００２０】
＜（ｂ）成分＞
本発明に用いられる（ｂ）成分は、炭素数８以上２１以下の炭化水素基と、硫酸エステル基又はスルホン酸基とを有するアニオン界面活性剤〔但し、（ａ）成分を除く〕である。
【００２１】
（ｂ）成分の炭化水素基としては、洗浄力の観点から、炭素数が８以上、好ましくは１０以上、より好ましくは１２以上、そして、２１以下、好ましくは１８以下、より好ましくは１４以下、更に好ましくは１２以下のアルキル基又はアリール基が好ましい。
【００２２】
（ｂ）成分のアニオン界面活性剤としては、アルキル硫酸エステル塩、ポリオキシアルキレンアルキルエーテル硫酸エステル塩及びアルカンスルホン酸塩から選ばれる１種以上が好ましい。
【００２３】
硫酸エステル基を有する前記アニオン界面活性剤として、洗浄力の観点から、炭素数が８以上、好ましくは１０以上、そして、２１以下、好ましくは１８以下、より好ましくは１４以下、更に好ましくは１２以下の直鎖又は分岐鎖のアルキル基を有するアルキル硫酸エステル塩が好適である。
また、硫酸エステル基及びポリオキシアルキレン基を有する前記アニオン界面活性剤として、洗浄力の観点から、炭素数は、８以上、好ましくは１０以上、そして、２１以下、好ましくは１８以下、より好ましくは１４以下、更に好ましくは１２以下の直鎖又は分岐鎖のアルキル基を有し、炭素数２以上３以下のオキシアルキレン基の平均付加モル数が好ましくは０．１以上、より好ましくは０．３以上、更に好ましくは０．４以上、そして、好ましくは６以下、より好ましくは３以下、更に好ましくは１．５以下であるポリオキシアルキレン基を有するポリオキシアルキレンアルキルエーテル硫酸エステル塩が好適である。
また、スルホン酸基を有する前記アニオン界面活性剤として、洗浄力の観点から、
（１）炭素数６以上１５以下のアルキル基を有するアルキルベンゼンスルホン酸塩及び、（２）炭素数８以上、好ましくは１０以上、そして、２１以下、好ましくは１８以下、より好ましくは１４以下、更に好ましくは１２以下のアルカンスルホン酸塩
から選ばれる１種以上のアニオン界面活性剤が好適である。
【００２４】
（ｂ）成分のアニオン界面活性剤の塩として、ナトリウム塩、アンモニウム塩、カリウム塩、マグネシウム塩等から選ばれる無機塩、モノエタノールアンモニウム塩、ジエタノールアンモニウム塩、トリエタノールアンモニウム塩、モルホリニウム塩等から選ばれる有機アンモニウム塩が好適である。
【００２５】
（ｂ）成分としては、下記一般式（ｂ１）の化合物が配合安定性と泡立ち性の観点から好適である。
Ｒ1b−Ｏ−（Ｒ2bＯ）n−ＳＯ3Ｍ2        （ｂ１）
〔式中、Ｒ1bは、炭素数８以上２１以下の直鎖又は分岐鎖のアルキル基であり、Ｒ2bは、エチレン基及び／又はプロピレン基であり、ｎは平均付加モル数であり０以上６以下の数である。Ｍ2は水素原子又は陽イオン、好ましくは無機又は有機の陽イオンである。〕
【００２６】
一般式（ｂ１）中、Ｒ1bは、洗浄力の観点から、炭素数８以上、好ましくは１０以上、そして、２１以下、好ましくは１８以下、より好ましくは１４以下、更に好ましくは１２以下の直鎖又は分岐鎖のアルキル基であり、好ましくは直鎖アルキル基である。具体的には、Ｒ1bは、オクチル基、デシル基、ドデシル基、トリデシル基、及びテトラデシル基から選ばれるアルキル基が好ましく、ドデシル基がより好ましい。
【００２７】
一般式（ｂ１）中、ｎは、洗浄力の観点から、好ましくは０．１以上、より好ましくは０．３以上、更に好ましくは０．４以上、そして、好ましくは６以下、より好ましくは３以下、更に好ましくは１．５以下の数である。
一般式（ｂ１）中、Ｒ2bがエチレン基の場合には、洗浄力の観点から、ｎは、好ましくは０．１以上、より好ましくは０．５以上、そして、好ましくは６以下、より好ましくは３以下の数である。
また、一般式（ｂ１）中、Ｒ2bがプロピレン基の場合には、洗浄力の観点から、ｎは、好ましくは０．１以上、より好ましくは０．２以上、更に好ましくは０．４以上、そして、好ましくは１．５以下、より好ましくは１．０以下、更に好ましくは０．８以下の数である。
また、一般式（ｂ１）中、Ｒ2bがエチレン基及びプロピレン基の場合には、ｎは、これらの範囲からそれぞれ選択できる。
【００２８】
一般式（ｂ１）中、Ｍ2は、水素原子、あるいはナトリウムイオン、アンモニウムイオン、カリウムイオン、マグネシウムイオン等の無機陽イオン、モノエタノールアンモニウムイオン、ジエタノールアンモニウムイオン、トリエタノールアンモニウムイオン、モルホリニウムイオン等の有機陽イオンが挙げられ、好ましくはナトリウムイオン、カリウムイオン、アンモニウムイオン、マグネシウムイオンの無機陽イオンである。
【００２９】
一般式（ｂ１）の化合物の調製方法としては、特に限定されるものではないが、例えばＲ1b−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド（以下、ＥＯと表記する）及び／又はプロピレンオキシド（以下、ＰＯと表記する）の付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００３０】
一般式（ｂ１）においてｎが０の場合に好適であるＲ1bが分岐鎖を有するアルキル基を含む化合物を得る場合には、原料であるＲ1b−ＯＨで示されるアルコールとして、炭素数８以上１４以下の１−アルケンをヒドロホルミル化して得られたアルコール（ＯＨ基に対してβ位にメチル基が分岐したアルキル基が１５モル％以上７０モル％以下含まれる）、炭素数４以上８以下のアルデヒドを縮合させた後、還元して得られるゲルベ型アルコール（ＯＨ基に対してβ位に炭素数３以上６以下のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率が約２０モル％以上１００モル％以下のアルキル基である）を挙げることができる。
【００３１】
本発明では、（ｂ）成分として、一般式（ｂ１）で表される化合物であって、Ｒ１ｂとして、好ましくは炭素数８以上、より好ましくは１０以上、そして、好ましくは１８以下、より好ましくは１４以下、更に好ましくは１２以下の直鎖アルキル基を含み、Ｒ２ｂとしてプロピレン基を含み、ｎが好ましくは０．１以上、より好ましくは０．２以上、更に好ましくは０．４以上、そして、好ましくは１．５以下、より好ましくは１．０以下、更に好ましくは０．８以下の数である化合物が好ましい。
【００３２】
なお、本発明では、（ｂ）成分に係る質量に関する記述（質量％や質量比）は、（ｂ）成分の一般式（ｂ１）中のＭ２をナトリウムと仮定したときの質量（ナトリウム塩換算での比率）に基づくものとする。
【００３３】
本発明の硬質表面用液体洗浄剤組成物は、（ｂ）成分を、洗浄力の観点から、０質量％以上、そして、３質量％以下、好ましくは２．５質量％以下、より好ましくは２質量％以下、更に好ましくは１．５質量％以下、より更に好ましくは１質量％以下、より更に好ましくは１質量％未満、より更に好ましくは０．５質量％以下、より更に好ましくは０．５質量％未満、より更に好ましくは０．１質量％以下、より更に好ましくは０．１質量％未満、含有する。（ｂ）成分の含有量は、組成物中、０質量％であってもよい。
【００３４】
また本発明の硬質表面用液体洗浄剤組成物は、（ｂ）成分を、本発明の硬質表面用液体洗浄剤組成物を泡状形態で用いた場合に泡比容を大きくする観点から、好ましくは０．１質量％以上、より好ましくは０．３質量％以上含有してもよい。この場合の上限値は前記の範囲から選択できる。
【００３５】
＜（ｃ）成分＞
本発明に用いられる（ｃ）成分は、（ｃ−１）炭素数が６以上１８以下のアルキル基を有するグリセリルエーテル（以下、（ｃ−１）成分という）及び（ｃ−２）下記一般式（ｃ２）で表される化合物（以下、（ｃ−２）成分という）から選ばれる１種以上のノニオン界面活性剤である。なお、（ｃ）成分は、（ｃ−１）成分と（ｃ−２）成分とを併用してもよく、いずれか一方だけを用いても良い。（ｃ）成分は、濯ぎ性の観点から（ｃ−１）成分が好ましい。
Ｒ２ｃＯ−（ＥＯ）ｚ−Ｈ  （ｃ２）
〔式中、Ｒ２ｃは、炭素数６以上１８以下の第２級アルキル基であり、ＥＯはエチレンオキシ基であり、ｚはＥＯの平均付加モル数を示し、０超１００以下の数である。〕
【００３６】
本発明に用いられる（ｃ−１）成分は、炭素数が６以上１８以下のアルキル基を有するアルキルグリセリルエーテルである。
（ｃ−１）成分としては、具体的には下記一般式（ｃ１）の化合物が好適である。
Ｒ１ｃ−Ｏ−（Ｇｌｙ）r−Ｈ        （ｃ１）
〔式中、Ｒ１ｃは炭素数６以上１８以下のアルキル基を示し、Ｇｌｙはグリセリン由来の構成単位を示し、好ましくはグリセリンから１つの水酸基と１つの水素原子を除いた残基を示し、ｒは１以上４以下の数を示す。〕
【００３７】
一般式（ｃ１）において、Ｒ１ｃは、好ましくは炭素数６以上、より好ましくは炭素数７以上、更に好ましくは炭素数８以上、そして、好ましくは炭素数１８以下、より好ましくは炭素数１２以下、更に好ましくは炭素数１０以下のアルキル基であり、ヘキシル基、ヘプチル基、オクチル基、ノニル基、デシル基などの直鎖アルキル基を用いることができるが、本発明では洗浄力の観点から、分岐鎖を有するアルキル基が好適であり、Ｒ１ｃの分岐鎖を有する具体的なアルキル基として、２−エチルヘキシル基、ｓｅｃ−オクチル基、イソノニル基及びイソデシル基から選ばれる基がより好ましく、２−エチルヘキシル基又はイソデシル基が更に好ましく、２−エチルヘキシル基が特に好ましい。
一般式（ｃ１）において、ｒは好ましくは１以上、そして、好ましくは２以下であり、ｒが１の化合物が好ましい。特に好ましい化合物は、Ｒ１ｃが２−エチルヘキシル基で、かつ、ｒが１の化合物である。
【００３８】
Ｇｌｙで示される構造はグリセリンの１位と３位の水酸基が結合している−ＣＨ２ＣＨ（ＯＨ）ＣＨ２−で示される構造か、又はグリセリンの１位と２位の水酸基が結合している−ＣＨ（ＣＨ２ＯＨ）ＣＨ２−で示される構造であり、触媒や反応条件によって異なる。
【００３９】
一般式（ｃ１）の化合物を得るには、例えば炭素数６〜１０のアルコールとしてＲ１ｃ−ＯＨで示されるアルキルアルコールを用い、エピハロヒドリンやグリシドールなどのエポキシ化合物とを、ＢＦ３などの酸触媒、あるいはアルミニウム触媒を用いて反応させて製造する方法を用いることができる。
【００４０】
例えば、２−エチルヘキサノールを用いた場合、得られる２−エチルヘキシルモノグリセリルエーテルは、特開２００１−４９２９１号公報に記載されているように複数の生成物を含み得る混合物である。
【００４１】
本発明で用いられる（ｃ−２）成分は、下記一般式（ｃ２）で表される化合物である。
Ｒ２ｃＯ−（ＥＯ）ｚ−Ｈ  （ｃ２）
〔式中、Ｒ２ｃは、炭素数６以上１８以下の第２級アルキル基であり、ＥＯはエチレンオキシ基であり、ｚはＥＯの平均付加モル数を示し、０超１００以下の数である。〕
【００４２】
一般式（ｃ２）中のＲ２ｃの炭素数は、洗浄性の観点から、６以上、好ましくは８以上、より好ましくは１０以上、更に好ましくは１２以上、そして、１８以下、好ましくは１４以下である。
一般式（ｃ２）中のＲ２ｃは、洗浄性の観点から、第２級アルキル基である。ここで、第２級アルキル基とは、第２級アルコールから水酸基を除去した残基であり、一般式（ｃ２）中のＲ２ｃＯにおいてＯと結合するＲ２ｃの炭素原子が第２級炭素原子となっている。
【００４３】
一般式（ｃ２）中、ＥＯの平均付加モル数ｚは、洗浄性の観点から、０超であり、好ましくは１以上、より好ましくは３以上、更に好ましくは５以上、そして、１１０以下であり、好ましくは５０以下、より好ましくは３０以下、更に好ましくは２０以下、より更に好ましくは１２以下、より更に好ましくは１０以下である。
【００４４】
尚、一般式（ｃ２）の化合物は、本発明の効果を損なわない限り、更にプロピレンオキサイドが付加されていてもよい。
【００４５】
本発明の硬質表面用液体洗浄剤組成物は、（ｃ）成分を、洗浄力の観点から、好ましくは０．１質量％以上、より好ましくは０．３質量％以上、更に好ましくは０．５質量％以上、より更に好ましくは１質量％以上、より更に好ましくは１．５質量％以上、そして、原料コストを低減する観点から、好ましくは３０質量％以下、より好ましくは２０質量％以下、更に好ましくは１５質量％以下、より更に好ましくは１０質量％以下、より更に好ましくは８質量％以下、より更に好ましくは５質量％以下、より更に好ましくは３質量％以下、含有する。
【００４６】
本発明の硬質表面用液体洗浄剤組成物において、（ａ）成分、（ｂ）成分及び（ｃ）成分の合計含有量は、洗浄力の観点から、好ましくは０．５質量％以上、より好ましくは１質量％以上、更に好ましくは２質量％以上、より更に好ましくは３質量％以上、より更に好ましくは４質量％以上、そして、界面活性剤の原料コストを低減する観点及び溶剤量を低減する観点から、好ましくは４０質量％以下、より好ましくは３５質量％以下、更に好ましくは３０質量％以下、より更に好ましくは２５質量％以下、より更に好ましくは２０質量％以下、より更に好ましくは１５質量％以下、より更に好ましくは１０質量％以下、より更に好ましくは５質量％以下である。
【００４７】
本発明の硬質表面用液体洗浄剤組成物において、全界面活性剤中の、（ａ）成分、（ｂ）成分及び（ｃ）成分の合計含有量の割合は、洗浄力の観点から、５０質量％以上、好ましくは６０質量％以上、より好ましくは７０質量％以上、更に好ましくは８０質量％以上、より更に好ましくは９０質量％以上であり、１００質量％であってもよい。
【００４８】
本発明の硬質表面用液体洗浄剤組成物において、（ａ）成分の含有量と、（ａ）成分、（ｂ）成分及び（ｃ）成分の合計含有量との質量比である、（ａ）成分／［（ａ）成分＋（ｂ）成分＋（ｃ）成分］の質量比は、洗浄力の観点から、好ましくは０．１以上、より好ましくは０．１５以上、更に好ましくは０．２以上、そして、同様の観点から、好ましくは０．９以下、より好ましくは０．７以下、更に好ましくは０．６以下、より更に好ましくは０．５以下、より更に好ましくは０．４以下、より更に好ましくは０．３以下である。なお、［（ａ）成分＋（ｂ）成分＋（ｃ）成分］は、（ａ）成分、（ｂ）成分及び（ｃ）成分の合計含有量の意味である（以下の質量比でも同様）。
【００４９】
本発明の硬質表面用液体洗浄剤組成物において、（ｂ）成分の含有量と、（ａ）成分、（ｂ）成分及び（ｃ）成分の合計含有量との質量比である、（ｂ）成分／［（ａ）成分＋（ｂ）成分＋（ｃ）成分］の質量比は、洗浄力の観点から、０．１５以下、好ましくは０．１以下、より好ましくは０．１未満、更に好ましくは０．０５以下、より更に好ましくは０．０１以下、そして、好ましくは０以上である。（ｂ）成分／［（ａ）成分＋（ｂ）成分＋（ｃ）成分］の質量比は、０であってもよい。
【００５０】
また本発明の硬質表面用液体洗浄剤組成物において、（ｂ）成分／［（ａ）成分＋（ｂ）成分＋（ｃ）成分］の質量比は、本発明の硬質表面用液体洗浄剤組成物を泡状形態で用いた場合に泡比容を大きくできる泡比容の観点から、好ましくは０以上、より好ましくは０．０３以上、更に好ましくは０．０５以上、より更に好ましくは０．０７以上である。
【００５１】
本発明の硬質表面用液体洗浄剤組成物において、（ｃ）成分の含有量と、（ａ）成分、（ｂ）成分及び（ｃ）成分の合計含有量との質量比である、（ｃ）成分／［（ａ）成分＋（ｂ）成分＋（ｃ）成分］の質量比は、洗浄力の観点から、好ましくは０．１以上、より好ましくは０．３以上、更に好ましくは０．５以上、より更に好ましくは０．６以上、より更に好ましくは０．７以上、そして、同様の観点から、好ましくは０．９以下、より好ましくは０．８５以下、更に好ましくは０．８以下である。
【００５２】
本発明の硬質表面用液体洗浄剤組成物において、（ａ）成分の含有量と（ｃ）成分の含有量との質量比である、（ａ）成分／（ｃ）成分の質量比は、洗浄力の観点から、好ましくは０．１以上、より好ましくは０．２以上、更に好ましくは０．２５以上、そして、同様の観点から、好ましくは１０以下、より好ましくは８以下、更に好ましくは７以下、より更に好ましくは６以下、より更に好ましくは５以下、より更に好ましくは４以下、より更に好ましくは３以下、より更に好ましくは２以下、より更に好ましくは１以下、より更に好ましくは０．８以下、より更に好ましくは０．５以下である。
【００５３】
＜（ｄ）成分＞
本発明の硬質表面用液体洗浄剤組成物は、洗浄力の観点から、（ｄ）成分として、アミンオキサイド、スルホベタイン及びカルボベタインから選ばれる１種以上の両性界面活性剤を含有することができる。
【００５４】
アミンオキサイドとしては、下記一般式（ｄ１）の化合物が好適である。
【００５５】
【化３】
0006644638.tif 000004
【００５６】
〔式中、Ｒ1ｄは炭素数８以上２２以下の炭化水素基、好ましくはアルキル基又はアルケニル基、より好ましくはアルキル基を示し、Ｒ2ｄ及びＲ3ｄは、同一又は異なって、炭素数１以上３以下のアルキル基を示す。Ｄは−ＮＨＣ（＝Ｏ）−基又は−Ｃ（＝Ｏ）ＮＨ−基を示し、Ｅは炭素数１以上５以下のアルキレン基を示す。ｍ及びｐは、ｍ＝０かつｐ＝０又はｍ＝１かつｐ＝１を示す。〕
【００５７】
上記一般式（ｄ１）において、Ｒ1ｄは、固体脂に対する洗浄力の観点から、好ましくは炭素数１０以上１８以下のアルキル基であり、より好ましくは炭素数１２以上１６以下のアルキル基であり、更に好ましくは炭素数１２以上１４以下のアルキル基であり、より更に好ましくは炭素数１２のアルキル基である。Ｒ2ｄ、Ｒ3ｄは、固体脂に対する洗浄力の観点から、好ましくは炭素数１のメチル基である。
【００５８】
スルホベタインとしては、アルキル基の炭素数が好ましくは１０以上、そして、好ましくは１８以下、より好ましくは１４以下のＮ−アルキル−Ｎ，Ｎ−ジメチル−Ｎ−スルホプロピルアンモニウムスルホベタイン、アルキル基の炭素数が好ましくは１０以上、そして、好ましくは１８以下、より好ましくは１４以下のＮ−アルキル−Ｎ，Ｎ−ジメチル−Ｎ−（２−ヒドロキシスルホプロピル）アンモニウムスルホベタイン、アルカノイル基の炭素数が好ましくは１０以上、そして、好ましくは１８以下、より好ましくは１４以下のＮ−アルカノイルアミノプロピル−Ｎ，Ｎ−ジメチル−Ｎ−スルホプロピルアンモニウムスルホベタイン、アルカノイル基の炭素数が好ましくは１０以上、そして、好ましくは１８以下、より好ましくは１４以下のＮ−アルカノイルアミノプロピル−Ｎ，Ｎ−ジメチル−Ｎ−（２−ヒドロキシスルホプロピル）アンモニウムスルホベタインが挙げられる。
【００５９】
カルボベタインとしては、アルキル基の炭素数が好ましくは１０以上、そして、好ましくは１８以下、より好ましくは１４以下のＮ−アルキル−Ｎ，Ｎ−ジメチル−Ｎ−カルボキシメチルアンモニウムベタインや下記一般式（ｄ２）で表される化合物が挙げられ、洗浄力の観点から下記一般式（ｄ２）で表される化合物が好ましい。
【００６０】
【化４】
0006644638.tif 000005
【００６１】
〔式中、Ｒ４ｄは炭素数７以上２１以下のアルキル基又はアルケニル基を示し、Ｒ５ｄはプロピレン基を示し、Ｒ６ｄおよびＲ７ｄは、それぞれ独立に、炭素数１以上３以下のアルキル基を示す。〕
【００６２】
一般式（ｄ２）中、Ｒ４ｄは、好ましくは９以上、より好ましくは１１以上、そして、好ましくは１５以下、より好ましくは１３以下のアルキル基又はアルケニル基であり、ノニル基、デシル基、ウンデシル基、ドデシル基、トリデシル基が好ましい。
一般式（ｄ２）中、Ｒ６ｄおよびＲ７ｄは、それぞれ独立に、好ましくはメチル基である。
【００６３】
本発明の硬質表面用液体洗浄剤組成物は、（ｄ）成分を、洗浄力の観点から、好ましくは０．１質量％以上、より好ましくは０．２質量％以上、更に好ましくは０．５質量％以上、そして、好ましくは６質量％以下、より好ましくは４質量％以下、更に好ましくは２質量％以下、含有する。
【００６４】
＜（ｅ）成分＞
本発明の硬質表面用液体洗浄剤組成物は、配合安定性の観点から、（ｅ）成分として、溶剤を含有することが好ましい。溶剤は、好ましくは炭素数２以上、より好ましくは炭素数３以上、そして、好ましくは炭素数１０以下、より好ましくは炭素数８以下の水溶性有機溶剤が好ましく、具体例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、及びベンジルアルコールから選ばれる水溶性有機溶剤がより好ましい。なかでも、ブチルジグリコール、エタノール、及びプロピレングリコールから選ばれる１種以上の水溶性有機溶剤が更に好ましい。ここで、水溶性有機溶剤とは、オクタノール／水分配係数（ＬｏｇＰｏｗ）が３．５以下の溶剤を指すものとする。
【００６５】
本発明の硬質表面用液体洗浄剤組成物は、（ｅ）成分を、洗浄力及び配合安定性の観点から、好ましくは０．５質量％以上、より好ましくは２質量％以上、更に好ましくは４質量％以上、そして、好ましくは３０質量％以下、より好ましくは２０質量％以下、更に好ましくは１０質量％以下、含有する。
【００６６】
本発明の硬質表面用液体洗浄剤組成物が（ｅ）成分を含有する場合、（ｅ）成分の含有量と、（ａ）成分、（ｂ）成分及び（ｃ）成分の合計含有量との質量比である、（ｅ）成分／[（ａ）成分＋（ｂ）成分＋（ｃ）成分]の質量比は、配合安定性、洗浄力の観点から、好ましくは０．５以上、より好ましくは１以上、更に好ましくは１．２以上、より更に好ましくは１．５以上、そして、同様の観点から、好ましくは５以下、より好ましくは４以下、更に好ましくは３以下、より更に好ましくは２．５以下である。
【００６７】
＜（ｆ）成分＞
本発明の硬質表面用液体洗浄剤組成物は、配合安定性の観点から、（ｆ）成分として、ハイドロトロープ剤を含有することができる。ハイドロトロープ剤としては、トルエンスルホン酸、キシレンスルホン酸、クメンスルホン酸又はこれらのナトリウム、カリウムあるいはマグネシウム塩が良好であり、特にｐ−トルエンスルホン酸又はその塩が良好である。
【００６８】
本発明の硬質表面用液体洗浄剤組成物は、（ｆ）成分を、配合安定性の観点から、好ましくは０．５質量％以上、より好ましくは１質量％以上、更に好ましくは１．５質量％以上、そして、好ましくは１５質量％以下、より好ましくは１０質量％以下、更に好ましくは５質量％以下、含有する。
【００６９】
＜（ｇ）成分＞
本発明の硬質表面用液体洗浄剤組成物は、洗浄力の観点から、（ｇ）成分として、キレート剤を含有することができる。キレート剤としては、クエン酸、エチレンジアミン４酢酸塩、メチルグリシン２酢酸、Ｌ−グルタミン酸二酢酸・四ナトリウム等が挙げられる。
【００７０】
本発明の硬質表面用液体洗浄剤組成物は、（ｇ）成分を、洗浄力の観点から、好ましくは０．１質量％以上、より好ましくは１．０質量％以上、更に好ましくは２．０質量％以上、そして、好ましくは２０質量％以下、より好ましくは１０質量％以下、更に好ましくは６質量％以下、含有する。
【００７１】
本発明の硬質表面用液体洗浄剤組成物は、ポリアルキレングリコール等のゲル化防止剤、ポリアクリル酸等の増粘剤、酵素、香料、染料、顔料、殺菌剤、防腐剤、ｐＨ調整剤などの成分を含有することができる。
【００７２】
本発明の硬質表面用液体洗浄剤組成物において、固形分の含有量は、洗浄力の観点から、好ましくは０．５質量％以上、より好ましくは１質量％以上、更に好ましくは２質量％以上、より更に好ましくは３質量％以上、より更に好ましくは４質量％以上、そして、原料コストを低減する観点及びスプレイヤーを具備する容器を使用した際の吐出性の観点から、好ましくは６０質量％以下、より好ましくは５０質量％以下、更に好ましくは４５質量％以下、より更に好ましくは４０質量％以下、より更に好ましくは３５質量％以下、より更に好ましくは３０質量％以下、より更に好ましくは２５質量％以下、より更に好ましくは２０質量％以下である。
ここで、固形分とは、前記（ａ）〜（ｃ）成分及びその他の任意成分、すなわち水以外の成分である。
【００７３】
本発明の硬質表面用液体洗浄剤組成物は、水を含有する。すなわち、前記（ａ）〜（ｃ）成分及び任意成分以外の残部が水である。本発明の硬質表面用液体洗浄剤組成物は、水を、好ましくは３０質量％以上、より好ましくは５０質量％以上、更に好ましくは６０質量％以上、より更に好ましくは７０質量％以上、そして、好ましくは９９質量％以下、より好ましくは９５質量％以下、より更に好ましくは９０質量％以下含有する。水は、イオン交換水、滅菌イオン交換水等を使用することが好ましい。
【００７４】
本発明の硬質表面用液体洗浄剤組成物の２５℃におけるｐＨは、手へのマイルド性の観点から、好ましくは２以上、より好ましくは４以上、更に好ましくは５以上、そして、好ましくは１０以下、より好ましくは９以下、更に好ましくは８以下である。
【００７５】
本発明の硬質表面用液体洗浄剤組成物の２０℃における粘度は、好ましくは０．５ｍＰａ・ｓ以上、より好ましくは１ｍＰａ・ｓ以上、そして、好ましくは５０ｍＰａ・ｓ以下、より好ましくは２０ｍＰａ・ｓ以下、更に好ましくは１０ｍＰａ・ｓ以下、より更に好ましくは７ｍＰａ・ｓ以下、より更に好ましくは５ｍＰａ・ｓ以下である。粘度は溶剤やハイドロトロープ剤などで調整することができる。
【００７６】
本発明の硬質表面用液体洗浄剤組成物は、硬質物品の硬質表面用、更に食器又は台所周りの硬質物品の硬質表面用、更に食器の硬質表面用であることが好ましい。また、硬質物品の硬質表面の手洗い洗浄用、更に食器又は台所周りの硬質物品の硬質表面の手洗い洗浄用、更に食器の硬質表面の手洗い洗浄用であることが好ましい。
具体的には、本発明の硬質表面用液体洗浄剤組成物は、好ましくは硬質物品の硬質表面への塗布用洗浄剤、より好ましくは食器又は台所周りの硬質物品の硬質表面への塗布用洗浄剤、更に好ましくは食器の硬質表面への塗布用洗浄剤である。
また、具体的には、本発明の硬質表面用液体洗浄剤組成物は、好ましくは硬質物品の硬質表面への噴霧用洗浄剤、より好ましくは食器又は台所周りの硬質物品の硬質表面への噴霧用洗浄剤、更に好ましくは食器の硬質表面への噴霧用洗浄剤である。
【００７７】
硬質物品としては、パイプ、部品等の食品製造機器、台所周りの硬質物品、食器等が挙げられ、本発明の硬質表面用液体洗浄剤組成物は、固体脂の洗浄性に優れることから、硬質物品、好ましくは食器及び台所周りの硬質物品、より好ましくは食器を洗浄対象とする。
台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）その周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明の硬質表面用液体洗浄剤組成物は、食器、保存容器、調理器具、及び調理家電から選ばれる物品用であることが好ましく、更に皿、椀、タッパー、ビン、包丁、まな板、鍋、フライパン、魚焼きグリル、フードプロセッサー、及びミキサーから選ばれる物品用であることがより好ましい。
また、本発明の洗浄対象である硬質表面、更に食器及び台所周りの硬質表面、更に食器の硬質表面の材質は、プラスチック（シリコーン樹脂などを含む）、金属、陶器、木、及びそれらの組み合わせが挙げられる。
【００７８】
＜硬質表面の洗浄方法＞
本発明の硬質表面の洗浄方法は、前記本発明の硬質表面用液体洗浄剤組成物を、硬質表面に接触させる、硬質表面の洗浄方法である。
すなわち、本発明の硬質表面の洗浄方法では、本発明の硬質表面用液体洗浄剤組成物を用いる。該組成物の好ましい態様は、前記した本発明の硬質表面用液体洗浄剤組成物と同じである。
本発明の硬質表面の洗浄方法は、前記本発明の硬質表面用液体洗浄剤組成物を、油汚れが付着した硬質表面、更に固体脂を含む油汚れが付着した硬質表面に接触させる、硬質表面の洗浄方法として好適に実施できる。
固体脂を含む油汚れは、油脂を含んだ汚れであって、この油脂が常温（２０℃）で固体を呈するものである。固体脂を含む油汚れは、典型的には固体脂を含む油汚れ、更に固体脂と液体油とを含む油汚れである。前記硬質表面用液体洗浄剤組成物を接触させるときの固体脂を含む油汚れの形態は、固体脂と液体油とが混在した状態であってもよい。
【００７９】
本発明の硬質表面の洗浄方法では、前記硬質表面用液体洗浄剤組成物を、硬質表面に接触させる。
具体的には、前記硬質表面用液体洗浄剤組成物を、原液で、硬質表面に接触させる、又は前記硬質表面用液体洗浄剤組成物を、原液で、希釈せずに硬質表面に接触させる、つまり、前記硬質表面用液体洗浄剤組成物を、希釈することなく、硬質表面に接触させる洗浄方法が挙げられる。更に、前記硬質表面用液体洗浄剤組成物を、希釈することなく、固体脂を含む油汚れが付着した硬質表面に接触させる洗浄方法が挙げられる。
前記硬質表面用液体洗浄剤組成物を希釈することなく硬質表面に接触させるとは、該洗浄剤組成物を、意図的に水などで希釈した後、硬質表面と接触させないことである。例えば、水滴等が付着した硬質表面と接触させたり、前記硬質表面用液体洗浄剤組成物を硬質表面に接触させた後、硬質表面に水滴が付着したりする場合は、前記硬質表面用液体洗浄剤組成物を希釈することなく硬質表面に接触させると理解できる。
本発明では、前記硬質表面用液体洗浄剤組成物の原液をそのまま、つまり組成を変動させることなく、硬質表面に付着させることが好ましい。例えば、前記硬質表面用液体洗浄剤組成物を、含水したスポンジに付着させることなく、固体脂を含む油汚れが付着した硬質表面に接触させる。硬質表面に接触した後は、前記硬質表面用液体洗浄剤組成物の組成が変動してもよい。すなわち、硬質表面に接触した後は、前記硬質表面用液体洗浄剤組成物の組成が希釈又は濃縮されてもよい。
【００８０】
但し、本発明の（ａ）成分、（ｂ）成分、（ｃ）成分を含む濃厚組成物を調製しておき、該濃厚組成物を水で希釈して本発明の硬質表面用液体洗浄剤組成物を調製し、硬質表面に接触させてもよい。すなわち、本発明の（ａ）成分、（ｂ）成分、（ｃ）成分を含有する濃厚組成物を水で希釈して本発明の硬質表面用液体洗浄剤組成物に調製し、該硬質表面用液体洗浄剤組成物を硬質表面に接触させる、硬質表面の洗浄方法であってもよい。
【００８１】
また、本発明の硬質表面の洗浄方法は、前記硬質表面用液体洗浄剤組成物を、硬質表面に接触させた後、機械力をかけず（付与せず）に洗浄する、好ましくは機械力をかけずに放置する洗浄方法が挙げられる。つまり、スポンジ等の可撓性材料や手指等を用いることなく接触させ、機械力をかけずにそのまま放置する洗浄方法が挙げられる。これにより、手や道具の届かない部位や届きにくい細部の洗浄に好適である。
機械力をかけずに洗浄するとは、例えば、組成物の接触以外に、洗浄のための意図的な操作を行わないことである。例えば、接触させた組成物が硬質表面を自然に流下することや、洗浄を意図しない振動が硬質表面に伝わることなどは、機械力をかけずに洗浄すると理解できる。
なお、放置した後は、通常、水ですすぎ、すすぐ際は、手などで機械力（物理的力）を掛けてもよく、単に水流ですすいでもよい。
【００８２】
本発明の硬質表面の洗浄方法では、前記硬質表面用液体洗浄剤組成物を、対象物である硬質表面の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、塗布又は噴霧することが好ましい。
【００８３】
本発明の硬質表面の洗浄方法では、洗浄力を高める観点から、硬質表面用液体洗浄剤組成物を硬質表面に接触後、好ましくは１０秒以上、より好ましくは２０秒以上、更に好ましくは３０秒以上、より更に好ましくは４０秒以上、そして、同様の観点から、好ましくは６０分以下、より好ましくは３０分以下、更に好ましくは２０分以下、より更に好ましくは１０分以下、放置する。この場合、最初に前記組成物が硬質表面に接触した時点を放置の開始としてよい。
なお、放置する際の温度は、室温でよく、例えば、１０℃以上３０℃以下が挙げられる。
【００８４】
また、本発明の硬質表面の洗浄方法では、洗浄力を高める観点から、好ましくは１０秒以上、より好ましくは２０秒以上、更に好ましくは３０秒以上、より更に好ましくは４０秒以上、そして、同様の観点から、好ましくは６０分以下、より好ましくは３０分以下、更に好ましくは２０分以下、より更に好ましくは１０分以下、前記液体洗浄剤組成物と洗浄対象である硬質表面とを接触させる。
【００８５】
本発明の硬質表面の洗浄方法では、前記硬質表面用液体洗浄剤組成物を、油汚れ等が付着した硬質表面を該組成物中に浸漬させて接触させてもよいが、効率的に洗浄力を高める観点から、噴霧又は塗布して、油汚れ等が付着した硬質表面に接触させる方法が好ましい。
前記硬質表面用液体洗浄剤組成物を、油汚れ等が付着した硬質表面に接触させる方法は、噴霧又は塗布が好ましく、液滴状にして噴霧する又は泡状にして塗布する方法が好ましい。具体的には、スプレー手段を用いる。すなわち本発明の硬質表面用液体洗浄剤組成物を、スプレイヤーを具備する容器に充填してなる硬質表面用洗浄剤物品を用いるのが好ましい。本発明は、本発明の硬質表面用液体洗浄剤組成物を、スプレイヤーを具備する容器に充填してなる、スプレー容器入り硬質表面用洗浄剤物品を提供する。
【００８６】
本発明のスプレー容器入り硬質表面用洗浄剤物品における本発明の硬質表面用液体洗浄剤組成物を充填するスプレイヤーを具備する容器は、トリガー式スプレー容器、ポンプ式スプレー容器等の噴射剤を使用しない手動式スプレー装置、噴射剤を用いるエアゾール等が挙げられる。前記スプレイヤーを具備する容器は、内容物を液滴状又は泡状にして噴霧又は塗布することができるトリガー式スプレーが好ましく、内容物を液滴状に噴霧する機構を備えたトリガー式スプレー又は泡を形成する機構（泡形成機構）を備えたトリガー式スプレーがより好ましい。
【００８７】
本発明のスプレー容器入り硬質表面用洗浄剤物品において、液滴状に本発明の硬質表面用液体洗浄剤組成物を噴霧する機構を備えたトリガー式スプレーを用いる場合、前記組成物を入れるスプレー容器の噴射ノズルの噴口径は、スプレーのし易さや、噴射された液滴が荒くなく、直線状にスプレーされず、スプレーできる面積が極端に狭くならないために、好ましくは０．１ｍｍ以上、より好ましくは０．３ｍｍ以上、そして、好ましくは２ｍｍ以下、より好ましくは１ｍｍ以下の範囲である。
液滴状に噴霧する機構を備えたトリガー式スプレーを用いる場合、本発明のスプレー容器入り硬質表面用洗浄剤物品は、１回の操作で、好ましくは０．１ｍＬ以上、より好ましくは０．３ｍＬ以上、そして、好ましくは５ｍＬ以下、より好ましくは２ｍＬ以下の組成物を噴霧する。
【００８８】
また本発明のスプレー容器入り硬質表面用洗浄剤物品において、泡形成機構を備えたトリガー式スプレーを用いる場合、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００８９】
泡形成機構を備えたトリガー式スプレーを用いる場合、本発明のスプレー容器入り硬質表面用洗浄剤物品は、１回の操作で、好ましくは０．５ｍＬ以上、より好ましくは１ｍＬ以上、そして、好ましくは３０ｍＬ以下、より好ましくは１５ｍＬ以下、更に好ましくは５ｍＬ以下の組成物を噴霧する。
【００９０】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は、好ましくは３０面積％以上、より好ましくは４０面積％以上、そして、好ましくは９０面積％以下、より好ましくは８０面積％以下、更に好ましくは７０面積％以下であり、このような液体通過板を設置することで、垂直表面への泡の付着滞留性が良好になる。
【００９１】
本発明のスプレー容器入り硬質表面用洗浄剤物品の容器は、一般に使用されている容器を用いることができる。例えば、ポリエチレンやポリプロピレン、ポリエチレンテレフタレートを原料として得られるものであり、ブロー成形などによって製造することができる。容器の肉厚は底面と側面と異なってもよく、０．０１〜２ｍｍが好ましく、容器の容量は１００〜１０００ｍＬが好ましい。容器に充填される硬質表面用液体洗浄剤組成物の量は、取り扱い上、２００〜５００ｍＬが望ましい。また液の充填は、常識的な空隙を残して行われる。
【００９２】
本発明の硬質表面の洗浄方法は、硬質物品の硬質表面、更に食器及び台所周りの硬質物品の硬質表面、更に食器の硬質表面の洗浄方法として好ましい。また、硬質物品の硬質表面の手洗い洗浄方法、更に食器及び台所周りの硬質物品の硬質表面の手洗い洗浄方法、更に食器の硬質表面の手洗い洗浄方法として好ましい。
【００９３】
本発明の硬質表面の洗浄方法は、硬質物品の硬質表面、好ましくは食器及び台所周りの硬質物品の硬質表面、より好ましくは食器の硬質表面を洗浄対象とする。
食器及び台所周りの硬質物品は、前述のものが挙げられる。
また、本発明の硬質表面の浄剤方法は、食器、保存容器、調理器具、及び調理家電から選ばれる物品の硬質表面を対象とすることが好ましく、更に皿、椀、タッパー、ビン、包丁、まな板、鍋、フライパン、魚焼きグリル、フードプロセッサー、及びミキサーから選ばれる物品の硬質表面を対象とすることがより好ましい。
本発明の硬質表面の洗浄方法の対象とする硬質表面の材質は、プラスチック（シリコーン樹脂などを含む）、金属、陶器、木、及びそれらの組み合わせが挙げられる。
そして、本発明の硬質表面の洗浄方法は、これら硬質表面に付着した固体脂を含む油汚れを効果的に洗浄することができる。
【００９４】
本発明の硬質表面の洗浄方法では、本発明の硬質表面用液体洗浄剤組成物を直接硬質表面に接触させる。そして、前記組成物が接触した状態で放置すればよいため、洗浄時において、スポンジ等の可撓性材料による擦り洗いのような機械力をかける作業を必要としない。
そのため、本発明の硬質表面の洗浄方法は、
（１）食品製造機器、冷蔵庫、食器棚などのパイプ、部品及び排水溝、水筒、タンブラー、やかん、ポット等の手洗い洗浄が不便な硬質物品、
（２）食品、食器、調理器具の保存場所、調理台、レンジフード、シンク、ガスレンジ、電子レンジなどの食品の調理場所及びその周辺の床や壁等の台所周り等の固体脂を含む油汚れが広範に及ぶ硬質表面を有する物品、
（３）包丁、ピーラー、おろし金、スライサー、ジューサーの羽根、フードプロセッサーの羽根等の手洗い洗浄に危険が伴う物品、
（４）形状が複雑な部分を具備する物品
といった、スポンジ等の可撓性材料を用いた洗浄が困難な物品等にも適用することができる。尚、必要により、擦り洗いを行ってもよい。
さらに、本発明の硬質表面の洗浄方法は、本発明の硬質表面用液体洗浄剤組成物を、好ましくは泡状の前記組成物を、硬質表面に塗布してそのまま放置するため、硬質表面に前記組成物を長く留めることができる。
本発明の硬質表面の洗浄方法は、前記硬質表面用液体洗浄剤組成物を接触させた硬質表面を、水で濯ぐ工程、好ましくは前記硬質表面用液体洗浄剤組成物を接触させた硬質表面を、放置後、水で濯ぐ工程を含むことができる。
【実施例】
【００９５】
下記配合成分を用いて、表１に示す硬質表面用液体洗浄剤組成物を調製し、以下の項目について評価を行った。結果を表１に示す。表１の硬質表面用液体洗浄剤組成物は、常法により調製した。即ち、適量のイオン交換水に（ａ）成分〜（ｇ）成分を添加し、室温（２５℃）で溶解させた後、水酸化ナトリウム又は／及び塩酸を添加してｐＨ（２５℃）を６に調整した。なお、表１中の配合成分の質量％は、全て有効分に基づく数値である。（ａ）成分、（ｂ）成分はナトリウム塩に基づく質量％を示している。また、（ｆ）成分は、結晶水を含んだ化合物としての量に基づく質量％を示している。
【００９６】
＜配合成分＞
（ａ）成分
・スルホコハク酸ジ−２−エチルヘキシルナトリウム（製品名「エアロールＣＴ−１Ｌ」、東邦化学工業(株)製）、一般式（ａ１）において、Ｒ１ａ、Ｒ２ａ：共に２−エチルヘキシル基、ｘ、ｙ：共に０、Ｍ１：ナトリウムの化合物
（ｂ）成分
・ＰＯ０．６ラウリル硫酸エステルナトリウム、一般式（ｂ１）において、Ｒ１ｂ：天然アルコール由来のアルキル基（オクチル基/デシル基/ドデシル基=５/５/９０質量比）、Ｒ２ｂ：プロピレン基、ｎ：０．６、Ｍ２：ナトリウムの化合物
（ｃ）成分
・２−エチルヘキシルグリセリルエーテル（製品名「ペネトールＧＥ−ＥＨ」、花王(株)製）
・ポリオキシエチレンアルキルエーテル（製品名「ソフタノール７０」、(株)日本触媒製）、一般式（ｃ２）において、Ｒ２ｃ：炭素数１２〜１４の第２級アルキル基、ｚ：７．０の化合物
（ｄ）成分：ラウリルヒドロキシスルホベタイン（Ｎ−ドデシル−Ｎ、Ｎ−ジメチル−Ｎ−（２−ヒドロキシスルホプロピル）アンモニウムスルホベタイン）（製品名「アンヒトール２０ＨＤ」、花王（株）製）
（ｅ）成分：ブチルジグリコール（製品名「ＢＤＧ−ＮＳ」、日本乳化剤(株)製）
（ｆ）成分：パラトルエンスルホン酸１水和物（製品名「ＰＴＳ  Ｍ−７０００」、明友産業(株)製）
（ｇ）成分：クエン酸（製品名「精製クエン酸（無水）」、扶桑化学工業(株)製）
【００９７】
（１）洗浄力（溶液浸漬評価）
牛脂と菜種油を９：１の質量比で混合したものを作製し、モデル汚れ（固体脂を含む汚れのモデル汚れ、以下同様）とした。３０ｍｍ（横）×８０ｍｍ（縦）×１ｍｍ（厚み）のポリプロピレン試験片の質量を４桁天秤で測定した（ｘ）。前記ポリプロピレン試験片の両面に、下端から５０ｍｍの高さまでモデル汚れを、両面合わせて０．０２〜０．０３ｇとなるように均一に塗布したものを作成し、汚れピースとした。同汚れピースの質量を４桁天秤で測定した（ｙ）。
【００９８】
硬質表面用液体洗浄剤組成物５０ｇを５０ｍＬ容器（内径３５ｍｍ×高さ６８ｍｍの円柱状）に入れ、次いで汚れピース１枚を同容器内に立て掛けて前記組成物に接触させた。この時、汚れピースの汚れを付着させた部分は、容器内の前記組成物中に全て浸漬した。
【００９９】
汚れピースを前記容器内の硬質表面用液体洗浄剤組成物に１分間浸漬後、前記汚れピースを取り出し、１分間水道水で流水すすぎをした。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｚ）。以下の式で洗浄率を求めた。
洗浄率（％）＝｛（ｙ）−（ｚ）｝／｛（ｙ）−（ｘ）｝×１００
【０１００】
（２）洗浄力（泡浸漬評価）
牛脂と菜種油を９：１の質量比で混合したものを作製し、モデル汚れとした。３０ｍｍ（横）×８０ｍｍ（縦）×１ｍｍ（厚み）のポリプロピレン試験片の質量を４桁天秤で測定した（ｘ）。前記ポリプロピレン試験片の両面に、下端から５ｃｍの高さまでモデル汚れを、両面合わせて０．０２〜０．０３ｇとなるように均一に塗布したものを作成し、汚れピースとした。同汚れピースの質量を４桁天秤で測定した（ｙ）。
【０１０１】
硬質表面用液体洗浄剤組成物をトリガー式スプレー容器（マジックリンハンディスプレー、花王（株）製）に充填し、５０ｍＬ容器（内径３５ｍｍ×高さ６８ｍｍの円柱状）内に、前記組成物を泡状に５回スプレーした。組成物の吐出量は合計で約５ｇであった。
【０１０２】
次いで汚れピース１枚を同容器内に立て掛け、前記容器内の泡状の硬質表面用液体洗浄剤組成物に、前記汚れピースを接触させた。この時、汚れピースの汚れを付着させた部分は、容器内の泡状の前記組成物中に全て浸漬した。泡中に汚れピースを接触後１分間経過後に取り出し、１分間水道水で流水すすぎを行った。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｚ）。以下の式で洗浄率を求めた。
洗浄率（％）＝｛（ｙ）−（ｚ）｝／｛（ｙ）−（ｘ）｝×１００
【０１０３】
【表１】
0006644638.tif 000006